(57)【要約】【課題】四角錐形のフィルタ本体を形成し開口部の全周を確実に保持する。【解決手段】下方に向かってすぼんだ形状を成し、互いに対向配置される第１基材及び第２基材を有し、上端側に開口部２が形成された袋状のフィルタ本体と、第１基材の上端部の両側端間に亘って開口部２を連続的に保持する前面保持部８と、フィルタ本体を容器１００に係止させる前面係止片９と、第２基材の上端部の両側端間に亘って開口部２を連続的に保持する後面保持部１０と、フィルタ本体を容器に係止させる後面係止片１１とを備え、前面保持部８及び後面保持部１０の双方に、互いに近接する方向に延びる折り畳み線１２，１３が形成され、開口部の閉口時には、前面保持部８と後面保持部１０とがこれらの境の山折り折曲線２０を山折りにして重ね合わされ、開口時には折り畳み線１２，１３を山折りにし、開口部２を矩形にすることにより、フィルタ本体が四角錐状に形成される。【選択図】図３
2017118934.tif 000002
【特許請求の範囲】
【請求項１】
下方に向かってすぼんだ形状を成し、互いに対向配置される第１基材及び第２基材を有し、上端側に開口部が形成された袋状のフィルタ本体と、
前記第１基材の上端部の両側端間に亘って前記開口部を連続的に保持する前面保持部と、前記フィルタ本体を容器に係止させる前面係止片と、
前記第２基材の上端部の両側端間に亘って前記開口部を連続的に保持する後面保持部と、前記フィルタ本体を容器に係止させる後面係止片と、を備え、
前記前面保持部及び前記後面保持部の双方に、互いに近接する方向に延びる折り畳み線が形成され、
前記開口部の閉口時には、前記前面保持部と前記後面保持部とが、これらの境の山折り折曲線を山折りにして重ね合わされ、
開口時には、前記折り畳み線を山折りにし、前記開口部を矩形にすることにより、前記フィルタ本体が四角錐状に形成される飲料抽出用フィルタ。
【請求項２】
前記前面係止片は、前記四角錐を形成する第１面上に設けられ、
前記後面係止片は、前記第１面に対向する第２面上に設けられ、
前記第１面と前記第２面との間に設けられる第３面及び第４面の双方に設けられた前記前面保持部と前記後面保持部には、前記前面保持部と前記後面保持部との間に亘って谷折りにして前記第３面及び／又は第４面上の前記前面保持部及び前記後面保持部間を補強する補強片が形成されている請求項１に記載の飲料抽出用フィルタ。
【請求項３】
前記第１面と前記第２面とに形成された前記前面保持部及び前記後面保持部の上端には、前記開口部を開ける際に把持可能なタブが形成されている請求項２に記載の飲料抽出用フィルタ。
【請求項４】
前記前面保持部及び前記前面係止片と前記後面保持部及び前記後面係止片とは、矩形の基材の一方の長辺の両端角部を、前記長辺に交差する傾斜辺に沿って三角形に切り落とし、短辺、切り落とされて形成された傾斜辺及びこの傾斜辺に連続する長辺により前記開口部を形成する上端を形成し、
対辺の長手方向中央部を前記傾斜辺に平行な２辺で三角形に切り欠いて前記頂部を突出させる底辺を形成し、
前記長辺の中央で前記前面保持部及び前記後面保持部の下端までスリットを入れるとともに、このスリットの延長線上で前記前面保持部と前記後面保持部との境となる山折り折曲線を形成して、
前記スリット及び前記山折り折曲線において前記基材を二つに折り畳んで前記第１基材と前記第２基材とを挟み込むように取り付け可能に形成されている請求項１から３のいずれか一項に記載の飲料抽出用フィルタ。
【請求項５】
前記前面保持部又は前記後面保持部の一ヶ所においてクランク状に形成された端部同士を重なり合わせることなく突き合わせ、前記前面保持部及び前記後面保持部が、開口部の全周を取り囲んでいる請求項４に記載の飲料抽出用フィルタ。
【請求項６】
請求項１から５のいずれか一項に記載の飲料抽出用フィルタの内部に飲料の抽出原料が収容され、前記開口部が封止されている飲料抽出バッグ。
【発明の詳細な説明】
【技術分野】
【０００１】
本発明は、飲料抽出用フィルタ及び飲料抽出バッグに関する。
【背景技術】
【０００２】
飲料抽出用フィルタに関連する技術として特許文献１などが開示されている。この公報に記載された飲料抽出用フィルタは、濾紙や不織布等からなるフィルタ本体（袋本体）と、このフィルタ本体を保持しながら容器の上端に置いて係止させるためのホルダ（支持体）とを有している。フィルタ本体は、使用前の状態において、矩形のシート材がマチ部を有して二つ折り状態で偏平になるよう畳まれている。ホルダについても、平板状の厚紙やコート紙等で形成されるが、扁平に収まるようになっている。これよって、従来の飲料抽出用フィルタは、使用前の状態で複数重ね合わせて保管されたり、コーヒー豆を封入して可能な限り厚みが発生しないように個別包装されたりしている。
【先行技術文献】
【特許文献】
【０００３】
【特許文献１】特開２０１２−１７９２６５号公報
【発明の概要】
【発明が解決しようとする課題】
【０００４】
しかし、従来の飲料抽出用フィルタは、立体形状にされた際に寸胴な有底筒状になってしまうものであったため、ろ過領域が底面全体に広がってしまい、コーヒーの味を十分に引き出し難いという問題があった。
一方、円錐形のドリッパーに設置するフィルタのように、円錐形状になるフィルタに平板状のホルダを取り付けると、折り畳み時にホルダが平板状にならず、フィルタが折り畳まれた状態でホルダを取り付けるとフィルタが円錐形状になり難い。したがって、開口部の一部のみを支持し得るホルダにせざるを得ず、従来の飲料抽出用フィルタは、開口部を開けた状態で確実に保持し難いという問題があった。
そこで本発明は、先端が徐々にすぼんだ四角錐形のフィルタ本体を形成可能で、フィルタ本体の開口部の全周を確実に保持し得る飲料抽出用フィルタ及び飲料抽出バッグを提供する。
【課題を解決するための手段】
【０００５】
本発明の飲料抽出用フィルタは、下方に向かってすぼんだ形状を成し、互いに対向配置される第１基材及び第２基材を有し、上端側に開口部が形成された袋状のフィルタ本体と、前記第１基材の上端部の両側端間に亘って前記開口部を連続的に保持する前面保持部と、前記フィルタ本体を容器に係止させる前面係止片と、前記第２基材の上端部の両側端間に亘って前記開口部を連続的に保持する後面保持部と、前記フィルタ本体を容器に係止させる後面係止片と、を備え、前記前面保持部及び前記後面保持部の双方に、互いに近接する方向に延びる折り畳み線が形成され、前記開口部の閉口時には、前記前面保持部と前記後面保持部とが、これらの境の山折り折曲線を山折りにして重ね合わされ、開口時には、前記折り畳み線を山折りにし、前記開口部を矩形にすることにより、前記フィルタ本体が四角錐状に形成される。
この構成によれば、フィルタ本体を徐々にすぼんだ四角錐形状にすることができ、コーヒー等の抽出原料を先端に集めて集中的に蒸らすことができる。また、開口部の全体を保持した状態で無理なく適切に扁平に折り畳んだり、立体形状にしたりすることができる。
【０００６】
本発明の前記前面係止片は、前記四角錐を形成する第１面上に設けられ、前記後面係止片は、前記第１面に対向する第２面上に設けられ、前記第１面と前記第２面との間に設けられる第３面及び第４面の双方に設けられた前記前面保持部と前記後面保持部には、前記前面保持部と前記後面保持部との間に亘って谷折りにして前記第３面及び／又は第４面上の前記前面保持部及び前記後面保持部間を補強する補強片が形成されていてもよい。
本発明の飲料抽出用フィルタの補強片は、折り畳まれていた際に山折り部を形成していた前面保持部と後面保持部との境を、開口部が開けた際に山折りに戻りにくいように突っ張らせることができる。これによって、開口部の開口状態を安定させることができる。
【０００７】
本発明の前記第１面と前記第２面とに形成された前記前面保持部及び前記後面保持部の上端には、前記開口部を開ける際に把持可能なタブが形成されていてもよい。
この構成によれば、開口部の開口が容易となる。
【０００８】
本発明の前記前面保持部及び前記前面係止片と前記後面保持部及び前記後面係止片とは、矩形の基材の一方の長辺の両端角部を、前記長辺に交差する傾斜辺に沿って三角形に切り落とし、短辺、切り落とされて形成された傾斜辺及びこの傾斜辺に連続する長辺により前記開口部を形成する上端を形成し、対辺の長手方向中央部を前記傾斜辺に平行な２辺で三角形に切り欠いて前記頂部を突出させる底辺を形成し、前記長辺の中央で前記前面保持部及び前記後面保持部の下端までスリットを入れるとともに、このスリットの延長線上で前記前面保持部と前記後面保持部との境となる山折り折曲線を形成して、前記スリット及び前記山折り折曲線において前記基材を二つに折り畳んで前記第１基材と前記第２基材とを挟み込むように取り付け可能に形成されていてもよい。
本発明の構成によれば、飲料抽出用フィルタのホルダの作成が容易となる。なお、以下、前記前面保持部及び前記前面係止片と前記後面保持部及び前記後面係止片とを全体として「ホルダ」という。
【０００９】
本発明の前記前面保持部又は前記後面保持部の一ヶ所においてクランク状に形成された端部同士を重なり合わせることなく突き合わせ、前記前面保持部及び前記後面保持部が、開口部の全周を取り囲んでいてもよい。
この構成によれば、いわゆるホルダを形成する基材を無駄なく使用することができ、かつ、前記前面保持部又は前記後面保持部の重なり部分が発生することを防止して開口部の封止がし難くなることを回避することができる。
【００１０】
本発明の飲料抽出バッグは、上記いずれかに記載の飲料抽出用フィルタの内部に飲料の抽出原料を収容し、前記開口部を封止している。
この構成によれば、上記いずれかの作用又は機能を発揮する。
【発明の効果】
【００１１】
本発明の飲料抽出用フィルタ及び飲料抽出バッグは、先端がすぼんだ四角錐形のフィルタ本体を形成可能で、フィルタ本体の開口部の全周を連続的に保持し得るという効果を奏する。
【図面の簡単な説明】
【００１２】
【図１】本発明の一実施形態である飲料抽出用フィルタを折り畳んだ状態で示す正面図である。
【図２】本発明の一実施形態である飲料抽出用フィルタを折り畳んだ状態で示す背面図である。
【図３】本発明の一実施形態である飲料抽出用フィルタを開口して容器にセットし得る状態を示す斜視図である。
【図４】本発明の一実施形態である飲料抽出用フィルタのホルダの展開図である。
【図５】本発明の一実施形態である飲料抽出用フィルタのフィルタ本体の作成方法を示す図である。
【発明を実施するための形態】
【００１３】
以下、本発明の一実施形態の飲料抽出用フィルタ（以下、「抽出フィルタ」という）及び飲料抽出バッグについて説明する。
【００１４】
図１及び図２に示すように、抽出フィルタ１は、上端側に開口部２が形成された袋状のフィルタ本体３と、フィルタ本体３の表面に取り付けられ、フィルタ本体３を図３に示す容器１００に係止させるとともに、フィルタ本体３の開口部２の形状を保持するホルダ４とを備えている。
【００１５】
フィルタ本体３は、第１基材５とこれに対向配置させる第２基材６とを備えている。
第１基材５は、水平方向に延びる第１の上辺７ａと、第１の上辺７ａの両端から互いに離間するように斜め下方に延びる第２の上辺７ｂ，７ｂと、概ね頂部Ｅ方向に延びる左右の下辺７ｃ，７ｃとに囲まれた５角形に形成されている。なお、頂部Ｅは、第２の上辺７ｂ，７ｂの先端から第１の上辺７ａの中心を通り第１の上辺７ａに直交する線上に形成されている。
第２基材６は、第１基材５と同形状に形成されている。なお、第２基材６を取り囲んでいる各辺の符号は第１基材５の対向する又は重なり合う各辺の符号と同じである。
【００１６】
第１基材５と第２基材６とは、濾紙や不織布などからなる通液性を有する材料により形成されており、各辺を揃えて対向配置され、左右の下辺７ｃ，７ｃの直近を溶着し、第１の上辺７ａ及び第２の上辺７ｂ，７ｂを解放した状態で貼り合わされている。
【００１７】
ホルダ４は、第１基材５に固定され、開口部２に沿ってこの開口部２の形状を保持する前面保持部８と、フィルタ本体３を図３に示す容器１００に係止させる前面係止片９と、第２基材６に固定されて開口部２に沿ってこの開口部２の形状を保持する後面保持部１０と、フィルタ本体３を図３に示す容器１００に係止させる後面係止片１１とを備えている。
【００１８】
図１に示すように、前面保持部８の両側端８ａ，８ｂの間には、第１の上辺７ａと第２の上辺７ｂとにより形成される角部Ｋ，Ｋから、概ね頂部Ｅに向かって延びる２つの折り畳み線１２，１３が形成されている。折り畳み線１２，１３は、互いにやや近接するように傾斜している。
【００１９】
折り畳み線１２，１３により、前面保持部８は、第１の上辺７ａに平行に配された第１面上端保持部１４と、第１面上端保持部１４の両側において第２の上辺７ｂに沿って配された側面部１５，１５とに分けられている。第１面上端保持部１４は、折り畳み線１２，１３と頂部Ｅを結ぶ仮想線Ｌ１，Ｌ１により囲まれたフィルタ本体３の第１面３Ａを保持している。
【００２０】
図２に示すように、後面保持部１０にも、前面保持部８と同様の折り畳み線１２，１３が形成されている。この後面保持部１０は、折り畳み線１２，１３により分けられた第２面上端保持部１６と側面部１７，１７とを備えている。第２面上端保持部１６は、折り畳み線１２，１３と頂部Ｅを結ぶ仮想線Ｌ２，Ｌ２により囲まれたフィルタ本体３の第２面３Ｂを保持している。
【００２１】
図１又は図２に示すように、開口部２が閉じた状態において互いに対向する前面保持部８の側面部１５と後面保持部１０の側面部１７とは、対向する折り畳み線１２，１２同士及び折り畳み線１３，１３同士の中央に形成された山折り折曲線２０において折り曲げ可能な基材の一片により一体的に形成されている。これらの互いに対向する側面部１５及び側面部１７は、第１面３Ａと第２面３Ｂとをつなぐフィルタ本体３の第３面３Ｃ及び第４面３Ｄの開口部２を保持している。
図３に示すように、山折り折曲線２０は、前面保持部８と後面保持部１０との境Ｐを構成している。山折り折曲線２０を挟んで隣り合う側面部１５と側面部１７とは、第３面上端保持部２５及び第４面上端保持部２６を構成している。
【００２２】
側面部１５，１７には、それぞれ補強片形成線Ｖが形成され、補強片形成線Ｖ，Ｖ間の上下方向中間部には、水平スリット２７が形成されている。また図１、図２に示すように第３面上端保持部２５の下端には、切込み２８が形成されている。
図３に示すように、第４面上端保持部２６にも第３面上端保持部２５と同様に、補強片形成線Ｖ，Ｖと水平スリット２７と図１、図２に示す切込み２８とが形成されている。
【００２３】
これら補強片形成線Ｖと水平スリット２７と切込み２８とにより、上下に２分割された補強片３０，３１が形成されている。
なお、前面保持部８と後面保持部１０とは、図２に示す折り畳み線１２の下端側の一部が切り込まれたクランク状の継ぎ目Ｔ以外では連続して一体的に形成されており、継ぎ目Ｔを重ね合わせることなく突き合わせて開口部２の全周を取り囲んでいる。
【００２４】
図１、図２に示すように、第１面上端保持部１４及び第２面上端保持部１６の双方の下端には開口部２に向かって膨らむようにやや湾曲した折り目３６が形成されており、折り目３６を介して前面係止片９と後面係止片１１とがそれぞれ設けられている。
【００２５】
前面係止片９は、折り目３６により形成された第１の上辺３２ａと、第２の上辺３２ｂ，３２ｂと、下辺７ｃ，７ｃに平行に形成された下辺３２ｃ，３２ｃと、下辺３２ｃ，３２ｃの先端同士を結んで形成された底辺３２ｄとにより囲まれて形成されている。なお、下辺３２ｃは、第３面上端保持部２５及び第４面上端保持部２６に形成された山折り折曲線２０の延長線上に形成されている。
【００２６】
前面係止片９の下部には、図３に示す容器１００の上端１００ａを差し込ませる係止口４０が形成されている。係止口４０の両側部には図３に示す容器１００の上端１００ａの形状に合わせて係止口４０を拡大可能にする舌片４１が形成されている。なお、係止口４０には、容器１００の上端１００ａを上方から挟み込む舌片（不図示）が形成されていてもよい。
【００２７】
後面係止片１１も前面係止片９と同形状に形成され、後面保持部１０の下端の第１の上辺３２ａと、第２の上辺３２ｂ，３２ｂと、下辺３２ｃ，３２ｃと底辺３２ｄとにより囲まれて形成されている。後面係止片１１の下部にも係止口４０と同様の係止口４０及び舌片４１が形成されている。前面係止片９と後面係止片１１の下側辺同士は図３に示すように分離している。
【００２８】
次に、抽出フィルタ１の作成と使用方法について図４，図５を用いて説明する。
先ず、ホルダ４の作成について説明する。
図４に示すように、ホルダ４は、例えば、長辺が短辺の２倍の長さを有する矩形の紙又は樹脂製等の基材Ｘを用意し、一方の長辺４５ａの両角部Ｈ，Ｈを三角形に切り落とし、長辺４５ａ及び短辺４６ａ，４６ｂに対して傾斜する傾斜辺４７を形成する。この傾斜辺４７は、図１に示すフィルタ３の第１の上辺７ａに平行な上辺３５ａとなる。
【００２９】
これにより、残された長辺４５ａと短辺４６ａ，４６ｂは、それぞれ上辺３５ｂとなる。なお、切り落とされた三角形は二等辺三角形になるようにする。
また、他方の長辺４５ｂの中央部を、傾斜辺４７に平行な二辺で三角形に切欠き、前面係止片９及び後面係止片１１の底辺３２ｄを形成する。
【００３０】
また、上辺３５ａと上辺３５ｂとにより形成される角部Ｊ，Ｊから略対向する長辺の中心に向かって所定寸法延びる折り畳み線１２，１３を設ける。前面保持部８において隣り合う折り畳み線１２，１３の下端同士の間には、折り曲げを容易にする折り目３６を形成し、第１面上端保持部１４を形成する。同様にして後面保持部１０には、第２面上端保持部１６を形成する。
【００３１】
前面保持部８と後面保持部１０との双方に形成された折り畳み線１２，１２同士及び折り畳み線１３，１３同士の間には切込み２８を入れて第３面上端保持部２５と第４面上端保持部２６とを形成する。この際、第４面上端保持部２６は、小片２６ｓを残して後面保持部１０側の側面部１７が山折り折曲線２０を介して前面保持部９の側面部１５に連続して一体的に形成され、長辺４５ｂから突出するように切り出されている。
継ぎ目Ｔを形成する第４面上端保持部２６の側端部２６ｆは外形クランク状に形成されている。なお、小片２６ｓは、第２面上端保持部１６に一体的に形成されている。
【００３２】
更に、第３面上端保持部２５には、側面部１５及び側面部１７のそれぞれの幅方向中間部に補強片形成線Ｖを設け、補強片形成線Ｖ，Ｖ同士の間に第２の上辺３２ｂに平行な水平スリット２７を入れる。これにより、第３面上端保持部２５に山折り及び／又は谷折りが可能な補強片３０，３１を上下に形成する。第４面上端保持部２６も同様にして、補強片３０，３１を上下に形成する。
【００３３】
更に、第３面上端保持部２５の山折り折曲線２０の下端から長辺４５ｂの中心に向かってスリット２９を形成する。
前面係止片９及び後面係止片１１の双方に、係止口４０と舌片４１を形成することで前面係止片９及び後面係止片１１が形成される。
以上のようにしてホルダ４が作成される。
【００３４】
次に、フィルタ本体３の作成について説明する。フィルタ本体３は、ホルダ４の作成で使用した図４に示す矩形の基材Ｘの短辺４６ａ（４６ｂ）とほぼ同じ長さを有する正方形の基材Ｙを２枚用意し、図５に示すように重ね合わせ、隣り合う２辺５１ａ，５１ｂの直近を溶着する。又は、ホルダ４と同形状の矩形の不図示の基材を２つに折り畳んで正方形とし、袋状になった辺と隣り合う辺を溶着する。
【００３５】
これにより、第１基材５と第２基材６とが下方に向かってすぼむ２辺５１ａ，５１ｂで閉じられ、それ以外の２辺５２ａ，５２ｂが開口する袋状となる。その上で、開放端となっている２辺により形成された角部Ｍを三角形に切断し、第１の上辺７ａと第１の上辺７ａの両脇に延びる第２の上辺７ｂ，７ｂを形成する。なお、角部Ｍの切断は、第１基材５と第２基材６とを重ね合わせる前になされてもよくどのタイミングであってもよい。
このようにして、フィルタ本体３が形成される。
【００３６】
以上のようにして５角形の袋状に形成されたフィルタ本体３の下辺７ｃ又は下辺７ｃに、図４に示すホルダ４の第３面上端保持部２５に形成された山折り折曲線２０及び前面係止片９及び後面係止片１１の下辺３２ｃを合わせる。そして、図１，図２に示すように前面保持部８及び前面係止片９と、後面保持部１０及び後面係止片１１とでフィルタ本体３の第１基材５及び第２基材６を挟み込む。
【００３７】
補強片３０，３１を除く前面保持部８及び後面保持部１０において、フィルタ本体３と接着固定する。この際、第４面上端保持部２６を構成する後面保持部１０の側面部１７は、山折り折曲線２０で折り曲げて、後面保持部１０側に回り込ませ、フィルタ本体３に固定する。
以上のようにして、開口部２を閉じ、折り畳んだ状態の抽出フィルタ１が完成する。
【００３８】
次に、折り畳まれた抽出フィルタ１を容器１００の上端１００ａに係止させ、コーヒー等の飲料を抽出するためにセットする方法について説明する。
まず、図１，図２に示すように折り畳まれた第１面上端保持部１４と第２面上端保持部１６の上端をそれぞれ把持して互いに離間させ、開口部２を開ける。このとき、補強片３０及び補強線３１は、共に山折り折曲線２０を頂点として外側にやや張り出している。そこで、図３に示すように上方の補強片３０を谷折りにし、下方の補強片３１を山折りにして、第３面上端保持部２５と第４面上端保持部２６を突っ張らせる。
【００３９】
そうすると、開口部２が矩形に形成されて維持されるとともに、フィルタ本体３が全体として上端から下端に向かってすぼむ略四角錐形状に形成されるので、前面係止片９と後面係止片１１とを容器１００の上端１００ａに合わせて拡げ、係止口４０に容器１００の上端１００ａを差し込ませて抽出フィルタ１をセットする。
【００４０】
このように、本発明の抽出フィルタ１は、ホルダ４を立体形状に折ることで全体として下方に向かってすぼむ略四角錐形状に形成される。従って、抽出フィルタ１は、コーヒー等の飲料の好適な抽出において重要なポイントとなる、豆を一ヶ所に集中させるということが可能となるという効果を奏する。
また、抽出フィルタ１は、開口部２を矩形に形成することで、容器１００において安定的にかつできるだけ大きく開口させることができ、豆の投入や湯の注入が容易となるという効果を奏する。
【００４１】
また、抽出フィルタ１は、第３面上端保持部２５と第４面上端保持部２６とを突っ張らせて開口を安定させる補強片３０，３１を第３面３Ｃ及び第４面３Ｄ上に形成している。すなわち、補強片３０，３１は、第１面上端保持部１４と第２面上端保持部１６とに設けた第１面３Ａ及び第２面３Ｂと異なる面に形成されている。
【００４２】
したがって、抽出フィルタ１は、第１上端面保持部１４と第２上端面保持部１６とを把持して開口部２を広げた状態で、手を持ち替えることなく上下の補強片３０，３１を谷折り及び山折りにして第３面上端保持部２５と第４面上端保持部２６とを直線的に張り易くなる。すなわち、抽出フィルタ１は、容器１００へのセットが容易となるという効果を奏する。
【００４３】
また、抽出フィルタ１は、予め挽いたコーヒー豆等の原料をフィルタ本体３内部に収容させ、開口部２を封止して飲料抽出バッグ６０とすることが可能であるが、この場合にも、開口部２の開口と補強片３０，３１による開口の保持が容易となる。したがって、本発明の飲料抽出バッグ６０は、開封時及び容器１００への設置において、コーヒー豆を散乱させたりこぼしたりすることなく容易にセットすることができるという効果を奏する。
【００４４】
また、抽出フィルタ１のホルダ４は、図４に示すように矩形に形成された基材の長辺４５ａの両端の角部Ｈ及び対辺の中央部を切欠き、スリット２９及び折り目３６等を入れ形成され、かつ、基材の重なり部分を発生させない構成となっている。言い換えると、抽出フィルタ１のホルダ４は、基材Ｘを上下に設けた略正方形の不図示の基材から、回転対象に２つ切り出すことができる構成となっている。すなわち、ホルダ４は、基材の無駄なく効率的に作成することができる。また、抽出フィルタ１は、極めて容易に作成することができる。
【００４５】
また、抽出フィルタ１は、開口部２の全周に亘って連続的に取り囲むとともに、折り畳み線１２を一部に含んで前面保持部８をクランク上に切断して形成された端部２６ｆ，２６ｓを突き合わせる構成となっている。したがって、抽出フィルタ１は、突き合わせ部分が目立ち難くかつ重なりが生じた場合の厚みの違いによって開口部２が封止し難くなること（すなわち封止が不安定になること）を防止し、均一に封止し易くなるという効果を奏する。
【００４６】
なお、抽出フィルタ１は、第１上端面保持部１４及び第２上端面保持部１６のそれぞれの上端に、例えば図１において仮想線で示したようなタブ７０が形成されているとなおよい。
この構成によれば、前面保持部８と後面保持部１０とが第１の上辺７ａ及び第２の上辺７ｂの近傍で接着により封止されている場合であっても、タブ７０を把持して容易に開口部することができるという効果が得られる。
【００４７】
また、補強片３０，３１において、補強片３０を山折りにし、補強片３１を谷折りにしてもよい。
また、補強片３０，３１は、いずれか一方であっても所期の目的を達成することができる。
【００４８】
また、上方の補強片３０は、上端がわずかに突出していてもよい。補強片３０をこのような構成とすることにより、折り曲げ可能な部分の目印となり、ユーザーが補強片３０の存在を知覚し易く、補強片３０，３１の折り曲げを利用し易くなるという効果が得られる。
また、補強片３０，３１が略同面積でない場合は、補強片３０，３１による張り腰が保たれ難くなるが、上記実施形態の補強片３０と補強片３１とは略同面積に形成されているため、しっかりとした張りになるという効果を奏する。
【符号の説明】
【００４９】
１…飲料抽出用フィルタ
２…開口部
３…フィルタ本体
３Ａ…第１面
３Ｂ…第２面
３Ｃ…第３面
３Ｄ…第４面
４…ホルダ
５…第１基材
６…第２基材
８…前面保持部
９…前面係止部
１０…後面保持部
１１…後面係止部
１２，１３…折り畳み線
２０…山折り折曲線
２６ｆ…端部
２６ｓ…小片（端部）
２９…スリット
３０，３１…補強片
３２ｃ…底辺
４５ａ…長辺
４５ｂ…長辺，対辺
４６ａ，４６ｂ…短辺
４７…傾斜辺
６０…飲料抽出バッグ
７０…タブ
１００…容器
Ｅ…頂部
【図１】
2017118934.tif 000003
【図２】
2017118934.tif 000004
【図３】
2017118934.tif 000005
【図４】
2017118934.tif 000006
【図５】
2017118934.tif 000007